(57)【要約】      （修正有）【課題】シートは抗菌シートだけでなく、第２シートの備える機能、形態を被着体に付与する化粧用シートユニットを提供する。【解決手段】一面が自己粘着面１ａに形成された透明または半透明の合成樹脂シート１であって、自己粘着面が離型紙２で保護されている第１シートＡと、合成樹脂シート３で形成され、一面に粘着層４が設けられ、粘着層が離型紙５で保護されている第１シートに積層する第２シートＢとより成る。第２シートを粘着層で第１シートの自己粘着面ではない他面側に積層して第２シートと第１シートを一体化する。【選択図】図３
0003137715.tif 000002
【実用新案登録請求の範囲】
【請求項１】
一面が自己粘着面に形成された透明または半透明の合成樹脂シートであって、該自己粘着面が離型紙で保護されている第１シートと、
合成樹脂シートで形成され、一面に粘着層が設けられ、該粘着層が離型紙で保護されている、前記第１シートに積層する第２シートとより成り、
第２シートを粘着層で第１シートの自己粘着面ではない他面側に積層して第２シートと第１シートを一体化し、この一体化したシートを第１シートの自己粘着面で被着体に貼着することを特徴とする化粧用シートユニット。
【請求項２】
前記第２シートは、抗菌シートである請求項１記載の化粧用シートユニット。
【請求項３】
前記抗菌シートは、合成樹脂シートの表面に抗菌コート剤または抗菌剤での抗菌加工が施されているものである請求項２記載の化粧用シートユニット。
【請求項４】
前記第２シートは、被着体を化粧加工する形状および／または模様に形成されていることを特徴とする請求項１記載の化粧用シートユニット。
【請求項５】
前記抗菌シートは、被着体を化粧加工する形状および／または模様に形成されていることを特徴とする請求項２または３記載の化粧用シートユニット。
【考案の詳細な説明】
【技術分野】
【０００１】
この考案は、各種の被着体に貼り合わせ（オーバーラミネート）によって、被着体に抗菌性、耐摩耗性、耐薬品性、耐汚染性を付与したり、被着体の外観等の意匠を変化させたりする化粧用シートユニットに関する。
【背景技術】
【０００２】
各種の物品や商品が包装・収納された容器（例えば、ビン、缶および箱など）、文房具類、日用雑貨品および浴室製品などにおいて健康衛生・環境衛生の安全性を確保するために、細菌類やカビ類などの各種微生物が繁殖しないように抗菌・抗カビ剤（以下、これを単に抗菌剤と称す。）で抗菌・抗カビ（以下、これを単に抗菌と称す。）の処理を施したものが多く提供されている。
従来、製品が樹脂製品の場合は、抗菌剤を成型樹脂中に練り込んで抗菌性を付与することが多く採用されている。しかし、抗菌剤を練り込んだ成型品の場合、添加された抗菌剤は一部が表面に現れるのみで、そのほとんどは成型品の内部に存在するため、抗菌性を十分に発揮できない課題がある。
【０００３】
そこで、上記課題を解決するため、成型品に抗菌コート剤を塗布することで抗菌性を付与したり、抗菌加工した抗菌シートで成型品を被覆する抗菌性を付与することが提供されている（例えば、特許文献１、２、３、４および５参照）。
【特許文献１】特開平９−１００２０５号公報
【特許文献２】特開平９−２６７４５１号公報
【特許文献３】特開２００３−３４６０６号公報
【特許文献４】実用新案登録第３０１４５１３号公報
【特許文献５】特開２００６−７５０１４号公報
【考案の開示】
【考案が解決しようとする課題】
【０００４】
しかしながら、従来の抗菌シートは、抗菌シート専用であって、抗菌以外の使用ができるものではないので、シートは被着体（物品）の他の用途、例えば、シートを被覆することによって被着体（物品）の外観等の意匠を変化させたりすることはできない。しかし、シートは、抗菌シートだけでなく、他の用途にも対応可能であれば、利便性が向上するし、経済的に有利となる。
この考案は、このような点に鑑みシートは抗菌シートだけでなく、他の用途（例えば、物品の意匠を変化させる。）にも対応可能とし、趣向性および利便性に富み、経済性も有利な化粧用シートユニットを提供せんとするものである。
【課題を解決するための手段】
【０００５】
前記課題を解決するため、この考案の化粧用シートユニットは、一面が自己粘着面に形成された透明または半透明の合成樹脂シートであって、該自己粘着面が離型紙で保護されている第１シートと、
合成樹脂シートで形成され、一面に粘着層が設けられ、該粘着層が離型紙で保護されている、前記第１シートに積層する第２シートとより成り、
第２シートを粘着層で第１シートの自己粘着面ではない他面側に積層して第２シートと第１シートを一体化し、この一体化したシートを第１シートの自己粘着面で被着体に貼着することを特徴とする。
【０００６】
この構成により、第２シートは、粘着層により第１シートの自己粘着面ではない面に積層して第１シートと一体化でき、この一体化したシートは、第１シートの自己粘着面で被着体に貼り合わせることができる。
従って、第２シートを、抗菌シートとすると被着体に抗菌性を付与できるし、第２シートを耐汚染性のシートとすると被着体に対汚染性を付与でき、例えば、汚れが付着しても洗い流すことができるし、第２シートを特定の形状としたり、模様を付することで被着体の意匠を変化させたりすることができる。また、第２シートを耐摩耗性、耐薬品性とすることで、物品に既に付されているラベルやステッカーの上にオーバーラミネートして保護することもできる。このように第２シートとして種々の用途、機能や形態のものを用意することで、種々の対応が可能となる。
【０００７】
また、この考案の化粧用シートユニットの第２シートは、抗菌シートであることを特徴とし、また、前記抗菌シートは、合成樹脂シートの表面に抗菌コート剤または抗菌剤での抗菌加工が施されているものであることを特徴とする。
この構成により被着体に抗菌性を付与することができる。
【０００８】
また、この考案の化粧用シートユニットの第２シートは、被着体を化粧加工する形状および／または模様に形成されていることを特徴とする。
この構成により、被着体を化粧替えする格好で、意匠を変化させることができる。
【０００９】
さらに、この考案の化粧用シートユニットの第２シートは、抗菌シートであり、しかも被着体を化粧加工する形状および／または模様に形成されていることを特徴とする。
この構成により、被着体に抗菌性を付与できると共に、被着体を化粧替えする格好で、意匠を変化させることができる。
なお、この考案で被着体とは、この考案に係るシートを貼着する物品、商品および容器等を指す。この考案で「被着体を化粧加工する形状および／または模様に形成されている」の「模様」には、単独の色彩も含む。
【考案の効果】
【００１０】
この考案の化粧用シートユニットによれば、次のような効果を奏する。
（１）この考案の第２シートは、粘着層により第１シートの自己粘着面ではない面に積層して第１シートと一体化でき、この一体化したシートは、第１シートの自己粘着面で被着体に貼り合わせることができる。
従って、第２シートを、抗菌シートとすると被着体に抗菌性を付与できるし、第２シートを耐汚染性のシートとすると被着体に対汚染性を付与でき、例えば、汚れが付着しても洗い流すことができるし、第２シートを特定の形状としたり、模様を付することで被着体の意匠を変化させたりすることができる。また、第２シートを耐摩耗性、耐薬品性とすることで、物品に既に付されているラベルやステッカーの上にオーバーラミネートして保護することもできる。このように第２シートとして種々の用途、機能や形態のものを用意することで、種々の対応が可能となる。
【００１１】
（２）この考案の化粧用シートユニットは、抗菌シートだけでなく、他の用途にも対応可能となっているので、趣向性および利便性に富み、経済性にも有利となる。
（３）この考案の化粧用シートユニットの第２シートは、抗菌シートとし、しかも被着体を化粧加工する形状および／または模様に形成できるので、被着体に抗菌性を付与できると共に、被着体を化粧替えする格好で、意匠も変化させることができる。
【考案を実施するための最良の形態】
【００１２】
以下、この考案の実施の形態について図面と共に詳細に説明する。図１は、この考案の実施の形態を示す第１シートの斜視図、図２は、この考案の実施の形態を示す第２シートの斜視図、図３（１）（２）（３）は、この考案の実施の形態に係る化粧用シートユニットの使用方法を工程順に示す斜視図、図４（４）（５）は、図３に続く使用方法を工程順に示す斜視図である。
【００１３】
この考案の実施の形態に示す化粧用シートユニットは、図１に示すように一面が自己粘着面１ａに形成された透明または半透明の合成樹脂シート１であって、該自己粘着面１ａが離型紙２で保護されている第１シートＡと、
図２に示すように合成樹脂シート３で形成され、一面に粘着層４が設けられ、該粘着層４が離型紙５で保護されている、前記第１シートＡに積層する第２シートＢとより成り、
第２シートＢを粘着層４で第１シートＡの自己粘着面１ａではない他面側に積層して第２シートＢと第１シートＡとを一体化し、この一体化したシートを第１シートＡの自己粘着面１ａで被着体に貼着する構成となっている。
【００１４】
この化粧用シートユニットは、次のように使用する。まず、図３（１）に示すように第２シートＢの離型紙５を剥離し、次に、図３（２）に示すように離型紙５を剥離した第２シートＢを、粘着層４を介し第１シートＡの自己粘着面１ａとは反対側の面に積層し、図３（３）に示すように第２シートＢと第１シートＡを一体化したシートを形成する。次に、図４（４）に示すように前記一体化したシートの離型紙２（第１シートＡの離型紙２）を剥離し、図４（５）に示すように自己粘着面１ａを介し被着体６に貼着する。本例では、被着体６として容器で示しており、符号７は、被着体としての容器６に貼着された表示ラベルを示している。
【００１５】
第１シートＡを構成する合成樹脂シート１は、被着体６に貼着する被着体６と接面する基材シートを形成するシートとなる。従って、合成樹脂シート１は、透明または半透明が好ましい。合成樹脂シート１が、透明または半透明だと、被着体６に貼着するときに、被着体６への貼着位置が透視でき、被着体６の貼着位置を確認しつつ貼着できるので、貼着位置に位置ずれすることなく、正確に貼着することができるし、また、第１シートＡに積層した第２シートＢの意匠に影響を与えないし、被着体６に付されている文字や意匠（例えば、図４（５）のラベル７）も透視可能となる。
第１シートＡを構成する合成樹脂シート１としては、自己粘着面が形成できる合成樹脂で形成したシートであればよく、特に制限はない。例えば、塩化ビニル樹脂、ポリエチレン樹脂、ポリエステル樹脂、ポリプロピレン樹脂、等で形成したシートを挙げることができる。
合成樹脂シート１への自己粘着面１ａの形成は、従来公知の手段を採用し得る。
【００１６】
第２シートＢを構成する合成樹脂シート３は、第１シートＡに積層されて被着体６に貼着されるシートであって、種々の用途、機能、形態に対応するシートに形成されている。これにより第１シートＡに積層して被着体６に貼着することによって、合成樹脂シート３の有する機能や形態が被着体に付与される。
例えば、第２シートＢの合成樹脂シート３を抗菌シートすると、被着体６に抗菌性を付与できるし、合成樹脂シート３を耐汚染性のシートとすると、被着体６に耐汚染性を付与でき、例えば、汚れが付着しても容易に拭き取ったり、洗い流すことができるし、合成樹脂シート３を特定の形状としたり、模様を付したりすることで、被着体６の意匠を変化させることができる。また、合成樹脂シートを耐摩耗性や耐薬品性とすることで、被着体６を保護することができる。例えば、図４（５）に示すように被着体６にラベルやステッカー７が貼り付けられている時は、その上にオーバーラミネートして保護することができる。従って、被着体の使用される環境に対応して保護、補強が可能となる。
【００１７】
例えば、第２シートＢの合成樹脂シート３を抗菌シートとする場合には、合成樹脂シート３の表面に抗菌コート剤または抗菌剤で抗菌加工が施されたものを挙げることができる。抗菌加工としては、抗菌コート剤や抗菌剤を合成樹脂シート３の表面に塗布したり、抗菌コート剤や抗菌剤の中に合成樹脂シート３を浸漬したりして抗菌加工が施される。抗菌コート剤や抗菌剤は、従来公知のものを採用できる。例えば、抗菌剤としては、銀ゼオライトやリン酸カルシウムを担体とした抗菌性金属、などを例示でき、抗菌コート剤としては、合成樹脂コート剤に、銀ゼオライト抗菌剤及び少なくとも１種の含水マグネシウム硅酸塩としてのセビライト又はマグネシウム・アルミニウム珪酸塩としてのスメクタイトを混入したもの、を例示できる。
【００１８】
第２シートＢの粘着層４は、例えば、アクリル粘着剤、ゴム系粘着剤、シリコーン粘着剤などの従来公知の粘着剤でよく、これが合成樹脂シート３の片面に均一の厚さで塗布されている。従って、第２シートＢは、粘着層４を介して第１シートＡに積層（貼り合わせる）することができる。
【００１９】
また、第１シートＡの離型紙２および第２シートＢの離型紙５は、自己粘着面１ａおよび粘着層４を保護するものであり、使用する際には容易に剥離可能なものであり、紙などの基材にポリエチレン、ポリエステル、グラシンなどの剥離剤を塗布したものである。
【００２０】
しかして、この考案の化粧用シートユニットによれば、第２シートＢは、粘着層４により第１シートＡの自己粘着面ではない面に積層して第１シートＡと一体化でき、この一体化したシートは、第１シートＡの自己粘着面１ａで被着体６に貼り合わせることができる。
従って、第２シートＢを、抗菌シートとすると被着体６に抗菌性を付与できるし、第２シートＢを耐汚染性のシートとすると被着体６に対汚染性を付与でき、例えば、汚れが付着しても洗い流すことができるし、第２シートＢを特定の形状としたり、模様を付することで被着体６の意匠を変化させたりすることができる。また、第２シートＢを耐摩耗性、耐薬品性とすることで、物品に既に付されているラベルやステッカーの上にオーバーラミネートして保護することもできる。このように第２シートＢとして種々の用途、機能や形態のものを用意することで、種々の対応が可能となる。
【００２１】
なお、前記実施の形態は、この考案を制限するものではなく、この考案は、要旨を逸脱しない範囲において種々に変形が許容される。例えば、実施の形態では被着体として容器６を示したが、被着体はこれに制限されることなく、他の種々の物品や商品に適用可能である。
【産業上の利用可能性】
【００２２】
第２シートとして種々の機能や形態のものを用意することで、被着体に第２シートの有する機能や形態を付与するものに利用可能である。
【図面の簡単な説明】
【００２３】
【図１】この考案の実施の形態を示す第１シートの斜視図である。
【図２】この考案の実施の形態を示す第２シートの斜視図である。
【図３】この考案の実施の形態に係る化粧用シートユニットの使用方法を工程順（１）（２）（３）に示す斜視図である。
【図４】図３に続く使用方法を工程順（４）（５）に示す斜視図である。
【符号の説明】
【００２４】
Ａ  第１シート
Ｂ  第２シート
１  合成樹脂シート
１ａ  自己粘着面
２  離型紙
３  合成樹脂シート
４  粘着層
５  離型紙
【図１】
0003137715.tif 000003
【図２】
0003137715.tif 000004
【図３】
0003137715.tif 000005
【図４】
0003137715.tif 000006